(57)【要約】【課題】撮影した動画の一部についてフレームを間引いて記録する場合に、フレームが間引かれた部分における撮影パラメータの高速な変動を抑制する技術を提供する。【解決手段】動画を撮影する撮影手段と、前記動画の撮影中に、被写体の状態に基づき、前記動画の撮影パラメータを制御する制御手段と、前記動画を記録する記録手段であって、前記動画のうち所定の期間に撮影された部分については、撮影されたフレームの一部を間引いて記録を行う記録手段と、を備え、前記制御手段は、前記所定の期間においては、前記被写体の状態変化に対する前記撮影パラメータの追従速度を、前記所定の期間以外の期間よりも低下させることを特徴とする撮像装置を提供する。【選択図】図３
2016058878.tif 000002
【特許請求の範囲】
【請求項１】
動画を撮影する撮影手段と、
前記動画の撮影中に、被写体の状態に基づき、前記動画の撮影パラメータを制御する制御手段と、
前記動画を記録する記録手段であって、前記動画のうち所定の期間に撮影された部分については、撮影されたフレームの一部を間引いて記録を行う記録手段と、
を備え、
前記制御手段は、前記所定の期間においては、前記被写体の状態変化に対する前記撮影パラメータの追従速度を、前記所定の期間以外の期間よりも低下させる
ことを特徴とする撮像装置。
【請求項２】
動画を撮影する撮影手段と、
前記動画の撮影中に、被写体の状態に基づき、前記動画の撮影パラメータを制御する制御手段と、
前記動画を記録する記録手段と、
前記記録手段により記録された動画のうち所定の期間に撮影された部分については、撮影されたフレームの一部を間引いて再生する再生手段と、
を備え、
前記制御手段は、前記所定の期間においては、前記被写体の状態変化に対する前記撮影パラメータの追従速度を、前記所定の期間以外の期間よりも低下させる
ことを特徴とする撮像装置。
【請求項３】
前記制御手段は、前記所定の期間においては、撮影されたフレームのうち記録されるフレームの割合に従って、前記追従速度を低下させる
ことを特徴とする請求項１又は２に記載の撮像装置。
【請求項４】
前記制御手段は、前記所定の期間においては、前記撮影パラメータの制御を停止する
ことを特徴とする請求項１又は２に記載の撮像装置。
【請求項５】
前記制御手段は、前記所定の期間においては、パンフォーカスで撮影を行うように前記撮影手段を制御する
ことを特徴とする請求項４に記載の撮像装置。
【請求項６】
前記撮影パラメータは、フォーカス位置、露出値、及びホワイトバランスパラメータのうちの少なくとも１つを含む
ことを特徴とする請求項１乃至５のいずれか１項に記載の撮像装置。
【請求項７】
前記被写体から顔を検出する検出手段を更に備え、
前記制御手段は、前記検出手段により顔が検出された場合、当該顔の状態に基づいて前記撮影パラメータを制御する
ことを特徴とする請求項１乃至６のいずれか１項に記載の撮像装置。
【請求項８】
前記所定の期間の途中で前記検出手段による顔の検出が失敗した場合、前記制御手段は、当該失敗の前に検出された顔の状態に基づいて前記撮影パラメータを制御する
ことを特徴とする請求項７に記載の撮像装置。
【請求項９】
前記動画の撮影開始前又は撮影中に、前記被写体の状態に基づき、前記所定の期間を決定する決定手段を更に備える
ことを特徴とする請求項１乃至８のいずれか１項に記載の撮像装置。
【請求項１０】
撮像装置の制御方法であって、
動画を撮影する撮影工程と、
前記動画の撮影中に、被写体の状態に基づき、前記動画の撮影パラメータを制御する制御工程と、
前記動画を記録する記録工程であって、前記動画のうち所定の期間に撮影された部分については、撮影されたフレームの一部を間引いて記録を行う記録工程と、
を備え、
前記制御工程では、前記所定の期間においては、前記被写体の状態変化に対する前記撮影パラメータの追従速度を、前記所定の期間以外の期間よりも低下させる
ことを特徴とする制御方法。
【請求項１１】
撮像装置の制御方法であって、
動画を撮影する撮影工程と、
前記動画の撮影中に、被写体の状態に基づき、前記動画の撮影パラメータを制御する制御工程と、
前記動画を記録する記録工程と、
前記記録工程において記録された動画のうち所定の期間に撮影された部分については、撮影されたフレームの一部を間引いて再生する再生工程と、
を備え、
前記制御工程では、前記所定の期間においては、前記被写体の状態変化に対する前記撮影パラメータの追従速度を、前記所定の期間以外の期間よりも低下させる
ことを特徴とする制御方法。
【請求項１２】
コンピュータを、請求項１乃至９のいずれか１項に記載の撮像装置の各手段として機能させるためのプログラム。
【発明の詳細な説明】
【技術分野】
【０００１】
本発明は、撮像装置、その制御方法、及びプログラムに関する。
【背景技術】
【０００２】
動画撮影において、１つの動画内で部分的に再生時にフレームレートが変更される動画（以下、フレームレート可変動画）を撮影することのできる撮像装置が知られている。このようにして撮影された動画は、被写体の動きが一時的にスローモーションになったり、ハイスピードになったりするため、通常の動画とは異なる楽しみをユーザに提供することができる。
【０００３】
フレームレート可変動画では、動画撮影時は一定のフレームレートで撮影しておいて、記録時に部分的にフレームを間引いて記録することで、動画にスローモーションやハイスピードの効果を付ける。例えば、動画撮影時は３０ｆｐｓのフレームレートで撮影しておいて、記録時に部分的にフレームを半分（１５ｆｐｓ）に間引いて記録することで、一時的に２倍の速度で再生される動画を作成することができる。記録時にフレームを間引かずに、再生時にフレームを間引くようにしても、同様の動画を作成することができる。
【０００４】
フレームレート可変動画においても、通常の動画と同様に、適切な撮影パラメータ（露出、フォーカス、色味（ホワイトバランス）など）で動画が撮影されることが期待される。しかし、フレームレート可変動画の場合、通常速度で再生される部分とスローモーション又はハイスピードの効果が付加された部分とで、露出、フォーカスおよび色味の追従速度が変化する。例えば、３０ｆｐｓでの動画撮影時に一定の追従速度で自動露出（ＡＥ）、オートフォーカス（ＡＦ）及びオートホワイトバランス（ＡＷＢ）の制御を行った場合を考える。この場合、記録時にフレームが間引かれた（１５ｆｐｓ）部分は、２倍の追従速度でＡＥ、ＡＦ及びＡＷＢの制御が行われたように見える。従って、その部分だけ露出、フォーカス及び色味の変動が早くなり、見づらい動画となってしまう。
【０００５】
記録フレームレート、再生フレームレート、及び撮影パラメータの追従速度の間の関係に注目した技術として、特許文献１が知られている。特許文献１の撮像装置は、記録フレームレートと再生フレームレートとの関係に応じて、ＡＥ及びＡＷＢの追従速度を変更する。
【先行技術文献】
【特許文献】
【０００６】
【特許文献１】特開２０１２−１５６８８６号公報
【発明の概要】
【発明が解決しようとする課題】
【０００７】
しかしながら、特許文献１は、撮影した動画の一部についてフレームを間引いて記録することを考慮していない。従って、特許文献１の技術では、フレームが間引かれた部分における撮影パラメータの高速な変動を抑制することができない。
【０００８】
本発明はこのような状況に鑑みてなされたものであり、撮影した動画の一部についてフレームを間引いて記録もしくは再生する場合に、フレームが間引かれた部分における撮影パラメータの高速な変動を抑制する技術を提供することを目的とする。
【課題を解決するための手段】
【０００９】
上記課題を解決するために、本発明は、動画を撮影する撮影手段と、前記動画の撮影中に、被写体の状態に基づき、前記動画の撮影パラメータを制御する制御手段と、前記動画を記録する記録手段であって、前記動画のうち所定の期間に撮影された部分については、撮影されたフレームの一部を間引いて記録を行う記録手段と、を備え、前記制御手段は、前記所定の期間においては、前記被写体の状態変化に対する前記撮影パラメータの追従速度を、前記所定の期間以外の期間よりも低下させることを特徴とする撮像装置を提供する。
【００１０】
同様に上記課題を解決するため、本発明は、動画を撮影する撮影手段と、前記動画の撮影中に、被写体の状態に基づき、前記動画の撮影パラメータを制御する制御手段と、前記動画を記録する記録手段と、前記記録手段により記録された動画のうち所定の期間に撮影された部分については、撮影されたフレームの一部を間引いて再生する再生手段と、を備え、前記制御手段は、前記所定の期間においては、前記被写体の状態変化に対する前記撮影パラメータの追従速度を、前記所定の期間以外の期間よりも低下させることを特徴とする撮像装置を提供する。
【００１１】
なお、その他の本発明の特徴は、添付図面及び以下の発明を実施するための形態における記載によって更に明らかになるものである。
【発明の効果】
【００１２】
本発明によれば、撮影した動画の一部についてフレームを間引いて記録もしくは再生する場合に、フレームが間引かれた部分における撮影パラメータの高速な変動を抑制することが可能となる。
【図面の簡単な説明】
【００１３】
【図１】撮像装置２００が実行する動画撮影処理を示すフローチャート。
【図２】撮像装置２００の構成を示すブロック図。
【図３】動画撮影処理の具体例を示す図。
【発明を実施するための形態】
【００１４】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１５】
［第１の実施形態］
図２は、第１の実施形態に係る撮像装置２００の構成を示すブロック図である。図２において、システム制御部２０１は、例えば、ＣＰＵ（ＭＰＵ）、メモリ（ＤＲＡＭ、ＳＲＡＭ）などからなり、各種処理（プログラム）を実行して撮像装置２００の各ブロックを制御したり、各ブロック間でのデータ転送を制御したりする。また、システム制御部２０１は、ユーザからの操作を受け付ける操作部２０２からの操作信号に応じて、撮像装置２００の各ブロックを制御する。
【００１６】
操作部２０２は、電源ボタン、モード切り替えスイッチ、動画撮影ボタン等からなる。電源ボタンがユーザにより操作されると、撮像装置２００の各ブロックに必要な電圧が供給され、システム制御部２０１の制御による起動処理が実行される。モード切り替えスイッチがユーザにより操作されると、システム制御部２０１の動作モードが任意の撮影モードに切り替わる。任意の撮影モードとしては、例えば、静止画撮影モード、動画撮影モード、及び後述するフレームレート可変モードなどが挙げられる。
【００１７】
操作部２０２に含まれる動画撮影ボタンがユーザにより操作されると、システム制御部２０１へ操作信号が送信され、動画撮影処理が実行される。動画撮影処理では、システム制御部２０１は、撮像素子２０７から読み出した信号に基づき、画像処理部２０８及びメモリ制御部２０９を介して画像データを生成し、記録媒体２１０に書き込む。また、動画撮影中は、フォーカス制御部２０４によるＡＦ（オートフォーカス）処理、絞り制御部２０６によるＡＥ（自動露出）処理、画像処理部２０８によるＡＷＢ（オートホワイトバランス）処理等の動作が行われる。
【００１８】
フォーカスレンズ２０３は、フォーカス位置を調整するためのレンズである。フォーカス制御部２０４は、フォーカスレンズ２０３の駆動を制御する。動画撮影中は、撮像素子２０７から読み出した信号からの情報を元にフォーカスレンズ２０３を合焦位置へ移動し続けることで、移動する被写体にも合焦することができる。また、フォーカスレンズ２０３を所定の位置に固定し、絞り制御部２０６により絞り２０５を絞ることにより、パンフォーカスでの撮影を行うことも可能である。
【００１９】
絞り２０５は、撮像素子２０７に取り込む光の量を調整する。絞り制御部２０６は、撮像素子２０７に取り込む光の量が最適な露出となるように絞り２０５を制御する。また、最適な露出だけでなく、ユーザにより任意に設定された露出となるように制御したり、露出補正値に従って適正値よりオーバー（明るめ）またはアンダー（暗め）な露出となるように制御することもできる。動画撮影中は、撮像素子２０７から読み出した信号からの情報を元に絞り２０５を制御し続けることで、被写体の明るさが変化しても最適な露出を維持することができる。
【００２０】
撮像素子２０７は、レンズにより取り込まれた被写体の光学像を、ＣＣＤセンサやＣＭＯＳセンサ等の撮像素子により画像信号に変換し、アナログデジタル変換をして、画像処理部２０８に送信する。動画撮影時は、撮像素子２０７は、所定のフレームレート（例えば３０ｆｐｓ）で画像信号を送信し続ける。
【００２１】
画像処理部２０８は、撮像素子２０７からのデータ又はメモリ制御部２０９からのデータに対して、所定の画素補間処理や色変換処理を行い、メモリ制御部２０９へ送信する。動画撮影中は、画像処理部２０８は、撮像装置２００の設定パラメータや被写体の情報に基づいてホワイトバランスを調整し続けることで、被写体の色味が適切な状態となるように維持することができる。また、画像処理部２０８は、顔検出機能も備えており、撮像素子２０７からのデータ又はメモリ制御部２０９からのデータに対して顔検出処理を行う。フォーカス制御部２０４、絞り制御部２０６、及び画像処理部２０８は、検出された顔の位置及びサイズ等の情報に基づいて、顔に最適なＡＦ、ＡＥ及びＡＷＢ処理を行う。また、動画撮影中は、画像処理部２０８は、撮像素子２０７から所定のフレームレートで画像信号が送信されてくるので、各フレームに所定の符号化処理を施してメモリ制御部２０９に送信する。また、画像処理部２０８は、各フレームの一部を間引き、残りのフレームを用いて符号化処理を施してメモリ制御部２０９に送信することもできる。このようにして作成された動画データを一定のフレームレートで再生することにより、フレームが間引かれた部分にハイスピードの効果を付けることができる。例えば、撮像素子２０７は３０ｆｐｓのフレームレート（撮影フレームレート）で画像信号を送信し、画像処理部２０８は所定の期間のフレームを半分に間引いて（１５ｆｐｓ相当にして）メモリ制御部２０９へ送信する。このようにして作成された動画データを３０ｆｐｓのフレームレート（再生フレームレート）で再生すると、所定の期間のみが２倍の速度で再生されるようになる。なお、本実施形態では記録時にフレームを間引く構成を例に挙げて説明を行ったが、記録時にはフレームを間引かずに再生時にフレームを間引く構成としても良い。
【００２２】
メモリ制御部２０９は、画像処理部２０８及び記録媒体２１０へのデータの書き込みを制御する。動画撮影中は、メモリ制御部２０９は、画像処理部２０８から所定のフレームレートで符号化された画像信号が送信されてくるので、各フレームを記録媒体２１０へ書き込むことで動画データを記録できる。
【００２３】
記録媒体２１０は、撮像装置２００に着脱可能なメモリカードやハードディスク等である。
【００２４】
次に、図１を参照して、第１の実施形態に係る、撮像装置２００が実行する動画撮影処理について説明する。図１に示すフローチャートの各ステップの処理は、特に断らない限り、システム制御部２０１が所定のプログラムを実行することにより実現される。撮像装置２００の動作モードがフレームレート可変モードの時に、操作部２０２に含まれる動画撮影ボタンがユーザにより操作されると、本フローチャートの処理が開始する。
【００２５】
Ｓ１００で、撮像装置２００は、所定のフレームレート（例えば３０ｆｐｓ）で動画の撮影を開始する。フレームレートについては、動画撮影ボタンが操作される直前の被写体の状態や、撮像装置２００の設定等のパラメータに従って、システム制御部２０１が自動で決定する。
【００２６】
Ｓ１０１で、撮像装置２００は、現在のタイミングがフレーム間引き記録期間（撮影されたフレームの一部を間引いて記録する期間）に含まれるか否かを判定する。フレームレート可変モードでは、動画撮影時は一定のフレームレートで撮影しておいて、記録時に部分的にフレームを間引いて記録することで、動画にスローモーションやハイスピードの効果を付ける。現在のタイミングがフレーム間引き記録期間に含まれない場合、処理はＳ１０２に進み、含まれる場合、処理はＳ１０７に進む。
【００２７】
なお、フレーム間引き記録期間の決定は、事前（撮影開始前）に行われてもよいし、動画撮影中に動的に行われてもよい。例えば、撮像装置２００は、動画撮影ボタンが操作されると、操作直前の被写体の状態や、撮像装置２００の設定等のパラメータに従って、フレーム間引き記録期間を自動で決定することができる。或いは、撮像装置２００は、動画撮影中に、被写体の状態に応じてフレーム間引き記録期間を動的に決定してもよい。
【００２８】
Ｓ１０２で、撮像装置２００は、フォーカス制御部２０４、絞り制御部２０６、及び画像処理部２０８により、通常のＡＦ、ＡＥ及びＡＷＢ処理を行う。これは、（フレームレート可変モードではない）通常の動画撮影モードにおいて行われるＡＦ、ＡＥ及びＡＷＢ処理と同様のものである。
【００２９】
Ｓ１０２におけるＡＦ、ＡＥ及びＡＷＢ処理は、被写体の状態に基づいて行われる。また、撮像装置２００は、画像処理部２０８により被写体から顔を検出し、検出成功の場合は、顔の状態に基づいてＡＦ、ＡＥ及びＡＷＢ処理を行ってもよい。
【００３０】
なお、本実施形態では、制御対象の撮影パラメータはフォーカス位置、露出値、及びホワイトバランスパラメータであるものとするが、これに限定されない。これら３つの撮影パラメータのうちの一部のみが制御対象であってもよいし、他の種類の撮影パラメータが制御対象であってもよい。
【００３１】
Ｓ１０３で、撮像装置２００は、撮像素子２０７により撮像されたフレームに所定の符号化処理を施す。Ｓ１０４で、撮像装置２００は、Ｓ１０３において符号化されたフレームを記録媒体２１０に記録する。
【００３２】
Ｓ１０５で、撮像装置２００は、通常記録期間（フレーム間引き記録期間以外の期間）が終了したか否かを判定する。通常記録期間が終了していない場合、処理はＳ１０３に戻り、次のフレームの記録が行われる。通常記録期間が終了した場合、処理はＳ１０６に進む。
【００３３】
なお、前述の通り、フレーム間引き記録期間の決定は、事前に行われてもよいし、動画撮影中に動的に行われてもよい。そして、フレーム間引き記録期間が決定されると、同時に、残りの期間が通常記録期間として決定される。従って、フレーム間引き記録期間及び通常記録期間が事前に決定される場合、Ｓ１０５において、撮像装置２００は、事前に決定された通常記録期間が終了したか否かを判定する。また、フレーム間引き記録期間及び通常記録期間が動画撮影中に動的に決定される場合、Ｓ１０５において、撮像装置２００は、被写体の状態に応じて、通常記録期間を終了するか否かを決定する。また、所定の撮影時間が経過した場合も、通常記録期間が終了したと判定される。
【００３４】
Ｓ１０６で、撮像装置２００は、動画撮影を終了するか否かを判定する。動画撮影を終了しない場合、処理はＳ１０１に戻る。動画撮影を終了する場合、本フローチャートの処理は終了する。
【００３５】
なお、動画撮影の終了条件は、動画撮影ボタンが操作される直前の被写体の状態や、撮像装置２００の設定等のパラメータに従って、システム制御部２０１が予め自動で決定した撮影時間が経過した場合とすることができる。或いは、撮像装置２００は、動画撮影中に、被写体の状態に応じて動画撮影を終了するか否かを動的に決定してもよい。更に、撮像装置２００は、動画撮影中に操作部２０２に含まれる動画撮影終了ボタンがユーザにより操作された場合にも、動画撮影を終了する。
【００３６】
続いて、フレーム間引き記録期間における撮像装置２００の動作について説明する。Ｓ１０７で、撮像装置２００は、フォーカス制御部２０４、絞り制御部２０６、及び画像処理部２０８により、フレーム間引き記録期間用のＡＦ、ＡＥ及びＡＷＢ処理を行う。フレーム間引き記録期間においてＳ１０２と同様の通常ＡＦ、ＡＥ及びＡＷＢ処理を行ってしまうと、フレームが間引かれた期間の露出、フォーカス及び色味の追従速度が変わり、見づらい動画となってしまう。例えば、Ｓ１００において３０ｆｐｓのフレームレートで撮像し、各フレームを半分の１５ｆｐｓに間引いて記録したとすると、間引いていない場合と比べて２倍の追従速度でＡＦ、ＡＥ及びＡＷＢ処理が行われたように見えてしまう。そこで、Ｓ１０７では、撮像装置２００は、ＡＦ、ＡＥ及びＡＷＢ処理の追従速度を低下させることで、見やすい動画を作成できるようにする。
【００３７】
Ｓ１０８で、撮像装置２００は、撮像素子２０７により撮像されたフレームを使用するか否かを判定する。フレームを使用する場合、処理はＳ１０９へ進み、フレームを使用しない場合、処理はＳ１１１へ進む。フレームを使用するか否かは、フレームの間引き量に応じて決定される。例えば、２倍の速度で再生される動画を作成する場合は、フレームを半分に間引いて記録すればよいので、２回に１回の割合でフレームを使用するように判定が行われる。フレームの間引き量については、動画撮影ボタンが操作される直前の被写体の状態や、撮像装置２００の設定等のパラメータに従って、システム制御部２０１が予め自動で決定することができる。或いは、撮像装置２００は、動画撮影中に被写体の状態に応じて動的に間引き量を決定してもよい。
【００３８】
Ｓ１０８におけるＡＦ、ＡＥ及びＡＷＢ処理は、Ｓ１０２と同様、被写体の状態に基づいて行われる。また、撮像装置２００は、画像処理部２０８により被写体から顔を検出し、検出成功の場合は、顔の状態に基づいてＡＦ、ＡＥ及びＡＷＢ処理を行ってもよい。また、撮像装置２００は、フレーム間引き記録期間の途中で顔の使用の有無を切り替えないように制御を行ってもよい。例えば、フレーム間引き記録期間の開始時に画像処理部２０８により顔が検出されていれば、撮像装置２００は、顔の状態に基づいてＡＥ、ＡＦ及びＡＷＢ処理を開始する。そして、フレーム間引き記録期間の途中で顔が画角の外へ出て画像処理部２０８による顔の検出が失敗した場合、撮像装置２００は、以前に検出された顔の状態に基づいてＡＥ、ＡＦ及びＡＷＢ処理を継続する。そうすることで、フレーム間引き記録期間において顔が画角の外へ出たタイミングで露出、フォーカス及び色味が大きく変動することが抑制され、見やすい動画が作成される。
【００３９】
Ｓ１０９で、撮像装置２００は、撮像素子２０７により撮像されたフレームに所定の符号化処理を施す。Ｓ１１０で、撮像装置２００は、Ｓ１０９において符号化されたフレームを記録媒体２１０に記録する。
【００４０】
Ｓ１１１で、撮像装置２００は、フレーム間引き記録期間が終了したか否かを判定する。フレーム間引き記録期間が終了していない場合、処理はＳ１０８へ戻り、次のフレームについて同様の処理が行われる。フレーム間引き記録期間が終了した場合、処理はＳ１０６へ進む。なお、前述の通り、フレーム間引き記録期間は事前に決定されてもよいし、動画撮影中に動的に決定されてもよい。
【００４１】
以上の処理により、フレーム間引き記録期間においては、Ｓ１０７において追従速度が低下したＡＦ、ＡＥ及びＡＷＢ処理が行われる。従って、撮影パラメータの高速な変動が抑制され、見やすい動画が作成される。
【００４２】
図３を参照して、第１の実施形態に係る動画撮影処理の具体例を説明する。図３は、再生速度が「通常速度→２倍速度→通常速度」となるような動画を作成する場合を示す。撮像素子２０７は、３０ｆｐｓの一定のフレームレートで６秒間の撮像を行い、合計１８０フレームを作成するものとする。初めの１秒間（３０フレーム）は、通常記録期間である。従って、撮像装置２００は、通常通りＡＥ、ＡＦ及びＡＷＢ追従を行い、３０フレーム全てを記録する。次の４秒間（１２０フレーム）は、フレーム間引き記録期間である。従って、撮像装置２００は、フレームを半分に間引き、１２０フレームのうち６０フレームを記録する。この間、撮像装置２００は、ＡＥ、ＡＦ及びＡＷＢの追従速度を抑制する。例えば、撮像装置２００は、撮影されたフレームのうち記録されるフレームの割合（ここでは、１／２）に従い、追従速度を通常の半分に低下させる。最後の１秒（３０フレーム）は、通常記録期間である。従って、撮像装置２００は、通常通りＡＥ、ＡＦ及びＡＷＢ追従を行い、３０フレーム全てを記録する。
【００４３】
こうして記録した動画を３０ｆｐｓで再生すると、最初の１秒は通常速度、次の２秒は２倍速度、最後の１秒は通常速度で再生されることになる。そして、２倍速度で再生される期間におけるＡＥ、ＡＦ及びＡＷＢの追従速度は、再生時には、通常速度で再生される期間と同じ追従速度となる。従って、一連の動画を再生した際にＡＥ、ＡＦ及びＡＷＢの追従速度が一定となり、見やすい動画を作成することができる。
【００４４】
なお、上の説明では、フレーム間引き記録期間において追従速度を低下させる割合は、撮影されたフレームのうち記録されるフレームの割合に一致していた。しかしながら、これら２つの割合は、完全に一致していなくても構わない。この場合、再生時にＡＥ、ＡＦ及びＡＷＢの追従速度は完全に一定にはならないが、ある程度変動は抑制されるので、依然として動画の見やすさは向上する。
【００４５】
また、撮像装置２００は、フレーム間引き記録期間における追従速度を、０に低下させてもよい。換言すると、撮像装置２００は、フレーム間引き記録期間において、ＡＥ、ＡＦ及びＡＷＢの処理（撮影パラメータの制御）を停止してもよい。この場合、撮像装置２００は、フォーカスレンズ２０３を所定の位置に固定し、絞り制御部２０６により絞り２０５を絞ることにより、パンフォーカスでの撮影を行ってもよい。そうすることで、フレーム間引き記録期間に被写体が移動したとしても、なるべく合焦状態を維持することができる。
【００４６】
なお、図３では、部分的にハイスピードで再生される動画を示したが、部分的にスローモーションで再生される動画を撮影する場合も同様である。この場合、撮像装置２００は、例えば６０ｆｐｓで動画を撮影し、所定の期間のフレームを半分に間引いて（３０ｆｐｓ相当にして）記録する。そして、撮像装置２００は、フレームを間引いて記録する期間については、ＡＦ、ＡＥ及びＡＷＢ処理の追従速度を低下させる。こうして得られた動画を３０ｆｐｓで再生すると、フレームの間引きが行われた期間については通常速度で再生され、残りの期間についてはスローモーションで再生される。
【００４７】
以上説明したように、第１の実施形態によれば、撮像装置２００は、フレーム間引き記録期間においては、被写体の状態変化に対する撮影パラメータの追従速度を低下させる。これにより、フレームが間引かれた部分における撮影パラメータの高速な変動を抑制することが可能となる。
【００４８】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４９】
２００…撮像装置、２０１…システム制御部、２０４…フォーカス制御部、２０６…絞り制御部、２０７…撮像素子、２０８…画像処理部、２０９…メモリ制御部、２１０…記録媒体
【図１】
2016058878.tif 000003
【図２】
2016058878.tif 000004
【図３】
2016058878.tif 000005